(57)【要約】【課題】  内部から光らせたり、音を発する風船の製法が考えられてきた。しかし内部の電球と外部の電源との結合部分から風船の気体が漏れるので、その防止策が必要であった。【解決手段】  開口部を持った風船様の袋の内部に、1又はそれ以上の風船を設け、開口部からその風船の間に光源、音源を挿入した。内部の風船を膨らますと、外側の風船様の袋は膨張し、光源、音源は風船同士の壁で押しつけられ固定された。開口部の内部は、風船の外部になるので、気体漏れは起きない。【選択図】  図１
2017093761.tif 000002
【特許請求の範囲】
【請求項１】
開口部を持った風船様の袋の内部に、1又はそれ以上の風船を設け、開口部からその風船の間に、光源や音源を挿入してなる構造を特徴とした、光や音の出る風船様の袋。
【請求項２】
光源、音源と一緒に、少なくとも伸びない紙又はプラスチックフィルム、又は熱を防ぐ構造物からなる保護具を挿入することを特徴とした請求項１の光や音の出る風船様の袋。
【請求項３】
光源がＬＥＤであることを特徴とした請求項１〜２の光や音の出る風船様の袋。
【請求項４】
風船である請求項１〜３の光や音の出る風船様の袋。
【請求項５】
提灯等の照明器具である請求項１〜３の光や音の出る風船様の袋。
【発明の詳細な説明】
【技術分野】
【０００１】
風船などの空気で膨らました物体に、光源や音源を内蔵させる技術に関する。
【背景技術】
【０００２】
風船に電球を入れて内部から光らせたり、音を出させたりすると面白そうだとして色々構造が考えられてきた。しかし内部の電球と外部の電源とを結ぶ電線部分から風船の気体が漏れるので、その対策が難しかった。特許文献１では、ガス吹き込み口にテーパーを付け、それと同様なテーパーを付けた発光体電線封止部分をはめ合わせるものであったが、ガスを入れる動作と、封印する動作を同時にしなければならない上、接着剤などを使わなければ有効に密封できなかった。
【０００３】
特許文献２では、風船の内部に別な風船を挿入し、その中に発光体を入れ発光体保持袋とするものであった。外側の風船と発光体保持袋とは別々に膨らませられるので、特許文献１よりも作業がやり易くなったが、発光体は保持袋に密封され、さらに外側の風船に内蔵される。従って発光体は外部と分断されたままであった。
【先行技術文献】
【特許文献】
【０００４】
【特許文献１】特開２０１５−１００５８８、
【特許文献２】特開２００８−１２５７１８
【発明の開示】
【発明が解決しようとする課題】
【０００５】
発光体や音源を出し入れしても、風船の気体が漏れず、なおかつ従来程度のコストで製作できる、風船、提灯が欲しかった。
【課題を解決するための手段】
【０００６】
開口部を持った風船様の袋の内部に、1又はそれ以上の風船を設け、開口部からその風船の間に光源、音源を挿入する構造とした。
【発明の効果】
【０００７】
内部の風船を膨らますと、光源、音源は風船同士の壁で押しつけられ、膨らんだ外側の風船様の袋の内部に固定される。電線は開口部を通るが、風船の外部になるので、気体漏れは起きない。
【図面の簡単な説明】
【０００８】
【図１】図１は本発明の光る風船様の袋の製造過程を示す平面図である。
【図２】図２は切り出した袋と光源の平面図である。
【図３】図３は図２の袋の側面図である。
【図４】図４は保護具に乗せた光源を示す平面図である。
【図５】図５は他の保護具と光源を示す平面図である。
【図６】図６は発熱の大きい光源の保護具を示す平面図である。
【符号の説明】
【０００９】
１    風船の原反
２    細いチューブ状原反
３    風船様の袋
４    シール防止印刷
５    開口部
６    飛び出し部
７    逆止弁
８    電線
９    光源
１０  固定板
１１  枝葉を模した板
１２  光源保護具
【発明を実施するための最良の形態】
【００１０】
実施例１は本発明の一例を示すもので、図１〜４で説明する。実施例２は本発明の他の一例を示すもので、図５〜６で説明する。
【実施例１】
【００１１】
図１に本発明の風船、又は風船様の袋と言うべきか、の製造過程の一例を示す。風船を作るための原反１を２つ折りにして、その内側に別の細いチューブ２を挿入し、製袋機で風船様の袋３をシールし、切り出す。原反１は２枚のフィルムを重ねても、チューブ状の原反１の片側を切り開いてもよい。
【００１２】
図２に切り出した風船様の袋３を示す。予め細いチューブ２の内側に施した、シールの出来ない印刷部分４は開口部５となる。飛び出し部６には逆止弁７を設ける。この開口部５から電線８の付いた光源９、例えばＬＥＤを入れ、逆止弁７から空気又はヘリウム等を入れると、風船様の袋３は膨張する。
【００１３】
内部の細いチューブ２は、開口部５で外側と通じているので、風船様の袋３の膨張で押しつぶされる。そして光源９はその内部で固定される。この場合細いチューブ２は風船様の袋３という風船の外膜の一部でもある
【００１４】
図３に風船様の袋３を膨らました状態を側面図として示す。細いチューブ２は風船様の袋３の外径が小さくなるので、図３のようにだぶつき、揺さぶればふらふらする。光源９が動く効果をねらってもよいが、固定したい場合ば図４のように光源９を薄いプラスチック板１０に固定して、その固定板１０を細いチューブ２に挿入すればよい。固定板１０は少なくとも伸びず、両端に近くなる長さがあれば良いので、空気に浮く風船のように軽くしたければ、紙やフィルムでも良い。
【実施例２】
【００１５】
この光源９の固定板１０は、風船様の袋３の内部に固定するだけでなく、図５のように外部にまで拡大して、風船様の袋３を花、その花を固定する枝葉１１といった照明アクセサリーにもなる。又光源は１つだけでなく複数載せても良い。
【００１６】
風船様の袋３に収める風船は１つとは限らない。例えば２つの風船であればその膨らまし方により、光源の配置を変えられる。多数の風船にして、風船様の袋３の立体的な位置に多数の光源を配置し、光らせてもよい。図１の製法でも複数の風船を挿入することも出来る。設けた開口部からは音源等も入れても良い。その開口部も１つだけでなく、必要なら２つ以上でも良い。
【００１７】
光源９はＬＥＤだけではない。白熱球のような発熱量の多い電球や、ろうそくなど近すぎると危険な光源の場合、図６のように針金や、成型物で、内部に空間を持つ構造物１２に内蔵させ、その空間で熱の対流や伝導を防ぎ、外側の風船を損傷させない方法もある。従ってこの構造物１２に今までの固定板１０も含めて保護具とする。
【００１８】
風船様の袋や内部の風船、保護具は透明なフィルムだけでなく、光源からの光を妨げず、その効果を上げるものであれば何でも使える。又同様な効果のある印刷も良い。なお音源は、風船に対する配置は、ハウリング等に注意すれば構造的に光源と殆ど同じなので、説明を省略した。
【産業上の利用可能性】
【００１９】
本願の光や音の出る風船は、従来の風船の製法と変わらず、低コストで製作できる。
【００２０】
光源、音源は風船の外部に存在するので、風船の気体は全く漏れない。従って本願の光や音の出る風船様の袋は長持ちする。さらに光源、音源は、風船の気体を少なくすれば、何回でも出し入れできる  
【００２１】
光源をＬＥＤとすれば、電源を外にして電線を持ち紐として、ヘリウムや水素で浮く風船にも出来る。軽いリチウムイオン電池であればそれをも内蔵した風船も可能で、それが夜空で光るとすれば子供が非常に喜ぶ玩具となる。電池が亡くなれば取り替えることも出来る。
【００２２】
当然大人にもアピールするので、音声も出て、広告媒体としての価値も高くなる。
【００２３】
光や音の出る風船は、大きくてもフィルムなので材料費は安く、製作費も変わらないとなれば、クリスマスや大売出しといった期間限定のイルミネーションにも応じられるので、今までに無い華やかさの演出に貢献できる。
【図１】
2017093761.tif 000003
【図２】
2017093761.tif 000004
【図３】
2017093761.tif 000005
【図４】
2017093761.tif 000006
【図５】
2017093761.tif 000007
【図６】
2017093761.tif 000008